(57)【要約】【課題】スロープ体の取り付け、取り外しが容易であり、出入り開口から地面に渡して開閉扉を閉じた状態としてもそのスロープ体を取り外すことができないようにし、スロープ体の盗難を防止する。【解決手段】コンテナ１の出入り開口２の下端面４側に係止穴１０を設け、係止穴１０に係脱可能に掛かる係止体１１を有するスロープ体７を、出入り開口の下端面４側からコンテナ外の地面６に達しさせ、係止体１１の係止穴１０に対する挿入深さを、閉時の開閉扉３の下端部８とスロープ体７の出入り開口の下端面に位置する部分との隙間寸法１３より大きくして、開閉扉の閉時におけるスロープ体７の取り外しを不能にした。【選択図】    図２
2007045474.tif 000002
【特許請求の範囲】
【請求項１】
コンテナ本体の一側面に位置する出入り開口に観音開きする一対の開閉扉が取り付けられているコンテナにおいて、前記出入り開口の下端面またはこの下端面からコンテナ内方側のコンテナ床面に係止穴が設けられ、前記係止穴に係脱可能に掛かる係止体を有するスロープ体を、閉状態の出入り開口の下端面と開閉扉の下端との間からコンテナ外の地面に達しさせ、前記係止体の係止穴に対する挿入深さを、閉時の開閉扉の下端部とスロープ体の出入り開口の下端面に位置する部分との隙間寸法より大きくして、開閉扉の閉時におけるスロープ体の取り外しを不能にした構成を備えることを特徴とするコンテナ。
【発明の詳細な説明】
【技術分野】
【０００１】
本発明は倉庫などとして利用するコンテナに関するものである。
【背景技術】
【０００２】
従来から金属製のコンテナは海運業や陸送業において大型の搬送容器として用いられてきているが、この金属製のコンテナの堅牢であることや据え置き・撤去などが比較的に容易であることからトランクルームなどと称されている収納倉庫や二輪車用車庫として利用されるようになってきている。そして、前記二輪車用車庫としての利用勝手を向上するためにシャッタを備えるとともに庫内から引き出すことのできる傾斜板を備えるようにした工夫が提案されている（特許文献１参照）。
【特許文献１】特開２００３−１８４３３９号公報
【発明の開示】
【発明が解決しようとする課題】
【０００３】
上述したトランクルームと称する倉庫業では大型倉庫内で多くのコンテナを集合管理するものであったが、近年においてはコンテナ自体を一般に貸し出す形態も多くなっていている。そしてこのようにして貸し出されるコンテナにあっては、例えば屋外において、レベル出しした基礎の上に設置していて、コンテナの出入り開口の下端面とコンテナ外の地面との高低差が大きくなるため、丈夫な金属製のスロープ体を出入り開口の下端面からコンテナ外の地面に渡して人が出入りし易くなるようにしていた。
しかしながら、スロープ体は取り外してしまい込みできるようにするため、単に架け渡しただけの設置形態となっており、架け渡ししたまま放置した場合にスロープ体が盗まれるという問題が発生していた。
そこで本発明は上記事情に鑑み、スロープ体の取り付け、取り外しが容易であり、出入り開口から地面に渡して開閉扉を閉じた状態としたときにはそのスロープ体を取り外すことができないようにすることを課題とし、スロープ体の盗難を防止することを目的とするものである。
【課題を解決するための手段】
【０００４】
本発明は上記課題を考慮してなされたもので、コンテナ本体の一側面に位置する出入り開口に観音開きする一対の開閉扉が取り付けられているコンテナにおいて、前記出入り開口の下端面またはこの下端面からコンテナ内方側のコンテナ床面に係止穴が設けられ、前記係止穴に係脱可能に掛かる係止体を有するスロープ体を、閉状態の出入り開口の下端面と開閉扉の下端部との間からコンテナ外の地面に達しさせ、前記係止体の係止穴に対する挿入深さを、閉時の開閉扉の下端とスロープ体の出入り開口の下端面に位置する部分との隙間寸法より大きくして、開閉扉の閉時におけるスロープ体の取り外しを不能にした構成を備えることを特徴とするコンテナを提供して、上記課題を解消するものである。
【発明の効果】
【０００５】
本発明によれば、構成が簡単であり低コストでスロープ体の盗難を確実に防止できるようになるなど、実用性に優れた効果を奏するものである。
【発明を実施するための最良の形態】
【０００６】
つぎに本発明を図１から図４に示す実施の形態に基づいて詳細に説明する。
図中１は六面構成の略直方体状としたコンテナであり、該コンテナ１は、一側面に位置する出入り開口２に観音開き状に開閉できる一対の開閉扉３が取り付けられている。そして、前記出入り開口２の下端面４に上端平坦部５を乗せ置くようにしてその下端面４からコンテナ外の地面６に達する金属製のスロープ体７が取り付けられている。なお、出入り開口２の下端面４と開閉扉３の下端部８との間には前記上端平坦部５が位置することのできる十分なる隙間９がある。
【０００７】
上記コンテナ１の出入り開口２の下端面４の近傍位置には、図示するように凹溝状の係止穴１０が出入り開口２の間口方向に沿って設けられていて、この係止穴１０に上記スロープ体７の上端平坦部５の先端から下方に延設してなる係止体１１が着脱可能に係止している。図３に示すようにスロープ体７は上端平坦部５の先端側から下方に延設された係止体１１を有することで、この係止体１１を有する側の形状が断面略鉤形状とされており、上記開閉扉３が開いているときに、上方から係止体１１を係止穴１０に挿し入れるようにすることでこのスロープ体７が確実に出入り開口２に掛け止められ、他端が地面６に接地することで安定した状態となる。
なお、係止穴１０の深さはその係止穴１０の底面と係止体１１の下端とが当接しないように設定されており、また係止穴１０の幅（出入り開口の間口に直交する方向での幅）も係止体１１の出入り開口の間口に直交する方向での位置ずれを許容する寸法とされ、スロープ体７を取り付けたときに、出入り開口２の下端面４と地面６との高低差に応じてスロープ体７が傾斜する。
【０００８】
また、上記係止体１１の係止穴１０に対する挿入深さ１２は、閉時の開閉扉３の下端部８と隙間９に位置するスロープ体７の上端平坦部５とで形成される隙間寸法１３より大きくして、開閉扉３の閉時におけるスロープ体７の取り外しを不能にした構成としている。即ち、開閉扉３を閉じた状態でスロープ体７を開閉扉３に当たるまで持ち上げても係止体１１が係止穴１０から完全には抜け出ることがないように設けられており、これによって、スロープ体７を地面６まで架け渡して開閉扉３を閉じ、この開閉扉３側での施錠を行なうことでスロープ体７の盗難を防止できる。勿論、正規に取り外す場合は、開閉扉３を開いた状態でスロープ体７を上方に持ち上げて係止体１１を係止穴１０から抜くようにすればよく、正規の取り外し操作も容易である。
【０００９】
なお、上記係止穴１０の位置は上述した実施の例に限定されるものではなく、出入り開口２の下端面４またはこの下端面４から若干離れたコンテナ内方側のコンテナ床面に位置していてもよい。
【００１０】
上記実施の形態では、スロープ体７は上記上端平坦部５と傾斜部１４とが一体となっているが、本発明において、傾斜部１４の傾斜角度に影響されることなく上端平坦部５を出入り開口２の下端面４に定置させる構成とすることも可能である。図４はその例を示していて、この実施の形態では前記スロープ体７の傾斜部１４の上端にヒンジ１５を介して上端平坦部５を回動可能に連結している。これによってコンテナの設置環境などで出入り開口部２の下端面４から地面までの高さが異なる場合でも、上端平坦部５に対しての傾斜部１４の傾斜角度が自由となっているので、前記下端面４に上端平坦部５をより適正に配置させることができる。
この実施の形態において、図示されているように係止体１１は対の棒状物として形成されており、この係止体１１が差し込まれる係止穴１０は係止体１１の形状に対応した丸穴として形成されている。なお、丸穴による係止穴１０の深さは上述した実施の形態の構成と同じで、棒状物の係止体１１の下端が係止穴１０の底面に当接しない深さとしている。また、上端平坦部５は図示されているようにアングル材における一方の面板部分１６からなるものとしており、上端平坦部５を下端面４に配置するときに他方の面板部分１７を出入り開口２の下枠部分の前面１８に当接させて係止体１１が係止穴１０の位置に対応し易くなるように図られている。
なお、図４においては説明を容易にするために、開閉扉が閉じてスロープ体を分離した状態で図示されているが、開閉扉を閉じたときにスロープ体が分離できることを意味するのではない。
【図面の簡単な説明】
【００１１】
【図１】本発明に係るコンテナの一例をスロープ体が架け渡された状態で示す説明図である。
【図２】同じく一例においてスロープ体が架け渡された状態を断面で示す説明図である。
【図３】一実施例におけるスロープ体を下方側から見た状態で示す説明図である。
【図４】他の実施の形態を示す説明図である。
【符号の説明】
【００１２】
１…コンテナ
２…出入り開口
３…開閉扉
４…下端面
５…上端平坦部
６…地面
７…スロープ体
８…下端部
９…隙間
１０…係止穴
１１…係止体
１２…挿入深さ
１３…隙間寸法
【図１】
2007045474.tif 000003
【図２】
2007045474.tif 000004
【図３】
2007045474.tif 000005
【図４】
2007045474.tif 000006